(57)【要約】      （修正有）【課題】遠方からでも何が掲示されているかの概要がわかり、近くに寄れば、目線の高さでコンテンツをはっきりと読み取ることができる上、必要に応じて掲示物を移動することが可能な移動式掲示装置を提供する。【解決手段】外壁面に掲示物が貼付される筒状体を有する筒状掲示部１０と、筒状掲示部を所定の高さに支持し、底部に設けた車輪２６で自在に移動する基台２０と、筒状掲示部に固定される水平部材３１と基台に固定される垂直部材３２とを有し、筒状掲示部と一体的に移動する、くの字形掲示部３０と、を備えた。【選択図】図１
0003226828.tif 000002
【実用新案登録請求の範囲】
【請求項１】
外壁面に掲示物が貼付される筒状体を有する筒状掲示部と、前記筒状掲示部を所定の高さに支持し、底部に設けた車輪で自在に移動する基台と、前記筒状掲示部に固定される水平部材と前記基台に固定される垂直部材とを有し、前記筒状掲示部と一体的に移動する、くの字形掲示部と、を備えたことを特徴とする可動式掲示装置。
【請求項２】
前記筒状掲示部は、中空の円筒と該円筒に嵌着する蓋部とを有し、
前記基台は、前記円筒に外嵌めする円環状の支持部と、該支持部を所定の高さに保持し、該支持部よりも大きな外周を有する台座部を有することを特徴とする請求項１記載の可動式掲示装置。
【請求項３】
前記垂直部材は、高さを自在に調整する調整具が底面に設けられたものであって、
前記くの字形掲示部は、前記水平部材が前記蓋部に螺設され、前記垂直部材に設けた切欠部が前記台座部に嵌合して、前記筒状掲示部と一体的に移動することを特徴とする請求項２記載の可動式掲示装置。
【請求項４】
前記筒状掲示部は、前記蓋部と前記支持部とに挟持されて前円筒の中央に立設された柱状体と、該柱状体に固定されたＬＥＤモジュールとを備え、該柱状体、該支持部及び前記台座部は、該ＬＥＤモジュールに給電する電線が挿通する配線穴が設けられたものであって、前記フィルムの裏面側から前記コンテンツを照明することを特徴とする請求項２又は３記載の可動式掲示装置。
【請求項５】
前記筒状掲示部は、コンテンツがプリントされたフィルムを前記掲示物として前記筒状体に貼付し、
前記くの字形掲示部は、前記水平部材又は前記垂直部材に前記コンテンツの要約が記載され、若しくは該要約がプリントされたフィルムを貼付することを特徴とする請求項３又は４記載の可動式掲示装置。
【考案の詳細な説明】
【技術分野】
【０００１】
本考案は、掲示物を目線の高さに掲示する一方、それよりも高い位置に要約を掲示することができる可動式の掲示装置に関するものである。
【背景技術】
【０００２】
イベント会場や展示場に足を運んだ参加者にメッセージを届けるには、スクリーンに映像や案内文を投影する方法や、ポスターや広告を看板や広告用具に掲示する方法がある。スクリーンに投影する方法は占有スペースが比較的少なくて済むが、興味を抱いたものを即座に読み返せないため、別途チラシや冊子を用意する必要がある。一方、広告用具等に掲示する方法は、読み返しができるので、チラシや冊子は必ずしも準備する必要がないものの、広告用具等の設置スペースが必要になる。
そこで、ポスター等を掲示する広告用具等を可動にして、参加者で混雑した会場においても、広告用具等を移動式にして、特定の場所で掲示資料による発表等を可能にした発表システムが提案されている（特許文献１参照）。
また、掲示する壁のない建物内でポスター等を掲示できるようにするため、縦型筒状体を基台に軸支し、その外周面に掲示する一方、内部の空洞部分を収納スペースとして活用した回転式掲示装置が提案されている（特許文献２参照）。
さらに、多くの人々の目を引き付けて、より高い宣伝効果を得るために、支持梁に支持された多角形の第１フレームと、その第１フレームの各辺に吊持され、宣伝内容が表示された複数の長方形シートと、そのシートの下端に取り付けた第１フレームとほぼ同形の第２フレームとを有する宣伝装置が提案されている（特許文献３参照）。
なお、ポスター、広告、イベント情報等の表示シートを人や自動車等が移動するのに合わせて掲示物を相対移動させる掲示装置も提案されている（特許文献４参照）。
【先行技術文献】
【特許文献】
【０００３】
【特許文献１】特開２０１４−１５３５８９号公報
【特許文献２】実用新案登録第３２００８８０号公報
【特許文献３】実用新案登録第３１７８６３３号公報
【特許文献４】特開２００６−０１８１２２号公報
【考案の概要】
【考案が解決しようとする課題】
【０００４】
しかしながら、掲示されたポスター等に記載された案内文等は、読む人の目線の高さから離れすぎると読まれない場合があり、好ましくない。また、記載された内容の要約を遠くからでも目立つように表示して、人目につきやすくする必要もある。
本考案は、かかる事情に鑑み、遠方からでも何が掲示されているかの概要がわかり、近くに寄れば、目線の高さでコンテンツをはっきりと読み取ることができ、かつ、必要に応じて掲示物を移動することが可能な可動式掲示装置を提供することを目的とする。
【課題を解決するための手段】
【０００５】
本考案の可動式掲示装置は、外壁面に掲示物が貼付される筒状体を有する筒状掲示部と、上記筒状掲示部を所定の高さに支持し、底部に設けた車輪で自在に移動する基台と、上記筒状掲示部に固定される水平部材と上記基台に固定される垂直部材とを有し、上記筒状掲示部と一体的に移動する、くの字形掲示部と、を備えたことを特徴とする。
その場合、上記筒状掲示部は、中空の円筒と該円筒に嵌着する蓋部とを有し、上記基台は、上記円筒に外嵌めする円環状の支持部と、該支持部を所定の高さに保持し、該支持部よりも大きな外周を有する台座部を有することが好ましい。また上記垂直部材は、高さを自在に調整する調整具が底面に設けられたものであって、上記くの字形掲示部は、上記水平部材が上記蓋部に螺設され、上記垂直部材に設けた切欠部が上記台座部に嵌合して、上記筒状掲示部と一体的に移動することができる。
このように目線の高さに詳細なコンテンツを掲示する筒状掲示部と、それよりも高い位置に要約を掲示するくの字形掲示部とを有するので、いかなるイベントを行っているのか、どのようなコンテンツが展示されているのかといった概要を、遠くからでも知ることができ、近くに寄れば、目線の高さでコンテンツの内容をはっきりと読み取ることができる。また、キャスターによって移動が自由にできるので、説明員がコンテンツの説明を行う場合に、該当するコンテンツが掲示された筒状掲示部を特定の場所に移動させ、その掲示物に基づいて説明することができるので、機動性が発揮される。
また上記筒状掲示部は、上記蓋部と上記支持部とに挟持されて前円筒の中央に立設された柱状体と、該柱状体に固定されたＬＥＤモジュールとを備え、該柱状体、該支持部及び上記台座部は、該ＬＥＤモジュールに給電する電線が挿通する配線穴が設けられたものであって、上記フィルムの裏面側から上記コンテンツを照明することができる。そして、上記筒状掲示部は、コンテンツがプリントされたフィルムを上記筒状体に貼付し、上記くの字形掲示部は、上記水平部材又は上記垂直部材に要約が記載され、若しくは該要約がプリントされたフィルムを貼付することができる。なお、上記台座部の内部には、上記電線に接続される電源装置を収容することができる。
このように、光を透過するアクリル樹脂等で形成された円筒の外周面にコンテンツがプリントされたフィルムを貼付し、その裏面側からＬＥＤモジュールで照らすことにすれば、文字や図形等が鮮明に表示されるのでとても見やすくなる。
【考案の効果】
【０００６】
本考案の可動式掲示装置は、コンテンツを目線の高さに掲示する筒状掲示部と、それよりも高い位置にコンテンツの要約を掲示する、くの字形掲示部とを有するので、遠方からでも掲示されている概要がわかる上、近くに寄れば、詳細内容を目線の高さで読み取ることができる。また、キャスターを設置しているので、必要に応じて移動することもできる。さらに、筒状掲示部を光透過性樹脂で形成し、ＬＥＤモジュールを内蔵すれば、コンテンツが裏面側から照らされ、とても見やすい。
【図面の簡単な説明】
【０００７】
【図１】図１は、第１の実施形態の移動式掲示装置の一例を示す側面図である。
【図２】図２は、第１の実施形態の移動式掲示装置の一例を示す平面図である。
【図３】図３は、図３は、台座の底面を示す図である。
【図４】図４は、第２の実施形態の可動式掲示装置の一例を示す平面図である。
【図５】図５は、第２の実施形態の可動式掲示装置のＡ−Ａ‘の縦断面図である。
【図６】図６は、第２の実施形態の可動式掲示装置のＢ―Ｂ’横断面図である。
【考案を実施するための形態】
【０００８】
以下に本考案の可動式掲示装置の実施形態を、図に基いて説明する。
［第１の実施形態］
図１から図３は、第１の実施形態の移動式掲示装置の一例を示す外観図であり、図１は側面を示す図、図２は平面を示す図、図３は、台座の底面を示す図である。
図１から図３に示すように、第１の実施形態の移動式掲示装置１は、外周面に掲示物が貼付される円筒（本考案の「筒状体」に相当する。以下同じ。）１１を有する筒状掲示部１０と、その筒状掲示部１０を所定の高さに支持し、底部に設けたキャスター（本考案の「車輪」に相当する。以下同じ）２６で移動することができる基台２０と、筒状掲示部１０に固定される水平部材３１と、基台２０に固定される垂直部材３２とを有し、筒状掲示部１０と一体的に移動可能な、くの字形掲示部３０とで構成されている。
筒状掲示部１０は、樹脂若しくは金属の、円筒及びその蓋部で構成されている。
ただし、筒状体１１は、必ずしも円筒である必要はなく、角筒であっても三角筒であってもよい。
掲示物は、紙、布、樹脂シート、フィルムなどにコンテンツがプリントあるいは筆記等されたもので、円筒の外周面に直接貼付しても、両面テープなどで貼付してもよいし、上側からベルトで締結してもよい。また、円筒がステンレス等、磁石にくっつく金属を成形したものである場合は、磁石で固定してもよい。
【０００９】
基台２０は、筒状掲示部１０の円筒１１に外嵌めする円環部位２２を有する支持部２１と、その支持部２１を目線の高さに保持する台座部２３とを有し、台座部２３の底面２５には、キャスター（本考案の「車輪」に相当する。以下同じ）２６が４か所設けてある。また、台座部２３は、支持部２１よりも外周が大きい大径部位２４を有する。
なお、基台２０は、樹脂を成形したり、金属を成形若しくは熔接して形成することができるが、木材を加工しても作成できる。
くの字形掲示部３０は、床面Ｅに水平な水平部材３１と床面Ｅに垂直な垂直部材３２とで構成され、樹脂もしくは金属で成形してもよいし、木材を加工して作成してもよい。
水平部材３１及び垂直部材３２それぞれは、一対の広幅面Ｗ１と一対の狭幅面Ｗ２（図に現れない）とによって中空の矩形断面が形成されている。
そして、水平部材３１は筒状掲示部１０の蓋部１２に螺子で固定され、垂直部材３２は、台座部２３の大径部位２４に当接する位置に切欠部３３を設け、その切欠部３３を大径部位２４に嵌合させて基台２０に固定される。
また、垂直部材３２の底部には、床面Ｅからの高さを調整するアジャスタ（本考案の「高さ調整具」に相当する。以下同じ。）３４が設けてあり、床面Ｅとの隙間を開けたときは、くの字形掲示部３０が、筒状掲示部２０と一体的に移動できる。そして、床面Ｅとの隙間をなくしたときは、くの字形掲示部３０が床面Ｅに密着して動かいようになる。
【００１０】
ここで、本実施形態の筒状掲示部１０は、円筒体の外径Ｒ１が８００ｍｍ、円筒体の高さＨ１が１０２５ｍｍ、蓋部の外径Ｒ２が９００ｍｍに設定されている。また基台は、円筒体を支持する支持部の外径Ｒ３が８４０ｍｍ、支持部の高さＨ２が７６０ｍｍ、大径部位の外径Ｒ４が１１００ｍｍ、底面２５の外径Ｒ５が７５０ｍｍに設定されているが、必ずしもこれらの数値に限定する必要はない。
また、くの字形掲示部３０は、幅が１８０ｍｍの一対の広幅面Ｗ１と、幅が１００ｍｍの一対の狭幅面Ｗ２とで中空の矩形断面が形成されている。そして、水平部材３１は、長さが３３０ｍｍ、垂直部材３２は、高さＨ３が２０５０ｍｍに設定されているが、必ずしもこれらの数値に限定する必要はない。
【００１１】
第１の実施形態の可動式掲示装置１は、筒状掲示部１０が概ね目線の高さに配置される一方、くの字形掲示部３０は、水平部材３１が筒状掲示部１０よりも高い位置に配置される。
従って、筒状掲示部１０には詳細な内容のコンテンツを掲示し、くの字形掲示部（水平部材若しくは垂直部材の上部）３０にはコンテンツの要約などを大きな文字等で表示すれば、いかなるイベントを行っているのか、どのようなコンテンツが展示されているのか等を、遠くからでも知ることができ、近くに来れば、目線の高さでコンテンツを読みとることができる。
また、キャスター２６によって移動が自由にできるので、説明員が会場内の特定の場所でコンテンツ等の説明を行う場合には、該当するコンテンツが掲示された筒状掲示部１０をその場所に移動させることができるので、機動性を発揮できる。
【００１２】
［第２の実施形態］
第２の実施形態の可動式掲示装置は、第１の実施形態の可動式掲示装置に比べて、筒状掲示部が照明器具を内蔵し、掲示物を裏側から照明することができる点が相違するが、それ以外の点は共通する。従って、重複説明を回避するため、可動式掲示装置の外観は、平面図のみ説明し、側面及び台座部の底面の説明は省略する。
図４から図６は、第２の実施形態の可動式掲示装置の一例を示す図であり、図４は平面図、図５はＡ−Ａ‘の縦断面図、図６はＢ―Ｂ’横断面図である。
【００１３】
図４から図６に示すように、第２の実施形態の可動式掲示装置２は、コンテンツをプリントしたフィルムが掲示物として貼付される筒状掲示部１０と、コンテンツの要約が直接記載され、若しくはその要約をプリントしたフィルムが貼付される、くの字形掲示部３０と、筒状掲示部１０を所定の高さに支持する基台２０とで構成されている。
筒状掲示部１０は、アクリルなどの光透過性樹脂で成形された中空の円筒１１と、その円筒１１に嵌着する蓋部１２とを有する。そして、円筒１１の中央には、ＬＥＤモジュール１４を固定する柱状体１３が立設される。柱状体１３は、支持部２１と蓋部１２で挟持されるので、円筒１１の中央にしっかりと固定される。
柱状体１３の周囲には、ＬＥＤモジュール１４が等間隔で固定されており、芯は、ＬＥＤモジュール１４への給電線Ｌを挿通する貫通穴１６が設けてある。
また、蓋部１２には、ＬＥＤモジュール１４が点灯したときに発する熱を放出するメッシュ穴１５が４か所に設けてある。
【００１４】
基台２０は、筒状掲示部１０の円筒１１に外嵌めする円環部位２４を有する支持部２１と、その支持部２１を目線の高さに保持する台座部２３とがあり、台座部２３には、支持部２１よりも外周が大きい大径部位２４がある。そして、台座部２３の底面２５には、キャスター２６が４か所設けてある。
台座部２３の内部には、ＬＥＤモジュール１４に給電する定電圧電源装置２７及び電池２８、あるいは電源プラグの付いたコード（図示していない。）が設置してある。そして、支持部２１及び台座部２３には、柱状体１３の貫通穴１６に連なる穴２９が設けてあるので、柱状体１３の貫通穴１６に挿通した給電線Ｌを定電圧電源装置２７に接続することができるようになっている。
本実施形態の筒状掲示部１０は、光を透過するアクリル樹脂製の円筒１１の外周面にコンテンツがプリントされたフィルムを貼付し、その裏面側からＬＥＤモジュール１４で光を照らしているので、文字や図形等が目線の高さで鮮明に表示され、掲示物がとても見やすくなっている。
【符号の説明】
【００１５】
１、２    可動式掲示装置
１０    筒状掲示部
１１    円筒
１２    蓋部
１３    柱状体
１４    ＬＥＤモジュール
１５    メッシュ穴
１６    貫通穴
２０    基台
２１    支持部
２２    円環部位
２３    台座部
２４    大径部位
２５    底面
２６    キャスター
２７    定電圧電源装置
２８    電池
２９    連なる穴
３０    くの字形掲示部
３１    水平部材
３２    垂直部材
３３    切欠部  
３４    アジャスタ
【図１】
0003226828.tif 000003
【図２】
0003226828.tif 000004
【図３】
0003226828.tif 000005
【図４】
0003226828.tif 000006
【図５】
0003226828.tif 000007
【図６】
0003226828.tif 000008
【手続補正書】
【提出日】令和2年4月19日(2020.4.19)
【手続補正１】
【補正対象書類名】実用新案登録請求の範囲
【補正対象項目名】全文
【補正方法】変更
【補正の内容】
【実用新案登録請求の範囲】
【請求項１】
外壁面に掲示物が貼付される筒状体を有する筒状掲示部と、前記筒状掲示部を所定の高さに支持し、底部に設けた車輪で自在に移動する基台と、前記筒状掲示部に固定される水平部材と前記基台に固定される垂直部材とを有し、前記筒状掲示部と一体的に移動する、くの字形掲示部と、を備えたことを特徴とする可動式掲示装置。
【請求項２】
前記筒状掲示部は、中空の円筒と該円筒に嵌着する蓋部とを有し、
前記基台は、前記円筒に外嵌めする円環状の支持部と、該支持部を所定の高さに保持し、該支持部よりも大きな外周を有する台座部を有することを特徴とする請求項１記載の可動式掲示装置。
【請求項３】
前記筒状掲示部は、コンテンツがプリントされたフィルムを前記掲示物として前記筒状体に貼付し、
前記くの字形掲示部は、前記水平部材又は前記垂直部材に前記コンテンツの要約が記載され、若しくは該要約がプリントされたフィルムを貼付することを特徴とする請求項１又は２記載の可動式掲示装置。
【請求項４】
前記垂直部材は、高さを自在に調整する調整具が底面に設けられたものであって、
前記くの字形掲示部は、前記水平部材が前記蓋部に螺設され、前記垂直部材に設けた切欠部が前記台座部に嵌合して、前記筒状掲示部と一体的に移動することを特徴とする請求項２記載の可動式掲示装置。
【請求項５】
前記筒状掲示部は、前記蓋部と前記支持部とに挟持されて前円筒の中央に立設された柱状体と、該柱状体に固定されたＬＥＤモジュールとを備え、該柱状体、該支持部及び前記台座部は、該ＬＥＤモジュールに給電する電線が挿通する配線穴が設けられたものであって、前記フィルムの裏面側から前記コンテンツを照明することを特徴とする請求項３記載の可動式掲示装置。